(57)【特許請求の範囲】
【請求項１】
建物ユニットの床を少なくとも部分的な分割構造として開口部が形成されるようにし、該開口部へ取付け可能な床部材本体を設けると共に、該床部材本体の裏面側に予め、コイル状に巻かれた配管が、建物ユニットの梁の背高を超えない高さに固定されたことを特徴とする床部材。
【請求項２】
建物ユニットの床を少なくとも部分的な分割構造として開口部が形成されるようにし、該開口部へ、請求項１の床部材を取付けることを特徴とする配管設置方法。
【請求項３】
請求項２の建物ユニットを現地へ設置した後に、床部材の裏面側から配管を外して、配管の引回しを完成することを特徴とする配管設置方法。
【発明の詳細な説明】
【０００１】
【発明の属する技術分野】
この発明は、床部材および配管設置方法に関するものである。
【０００２】
【従来の技術】
建物に対するガスなどの配管は、従来、現地作業であり、狭い床下での作業が多く、且つ、他の内装工程に左右されて日程の選定が困難であった。
【０００３】
また、工場で予め複数の建物ユニットを作り、これらを現地で組み立てて建物を構築するユニット工法の場合、上記のような問題を解決するために、ガスや水道などの配管を建物ユニットに予め固定しておくことが考えられる。
【０００４】
そこで、本願出願人により、平成９年特許願第９７５１３号や平成１０年特許願第４７３６号などが提案されている。
【０００５】
【発明が解決しようとする課題】
しかしながら、建物ユニットに予め配管を固定する場合、配管の固定位置や固定方法によっては、工場作業時や現地での内装作業時などに邪魔になったり、管を踏み付けたりするなどの悪影響が生じることとなる。また、配管の固定位置や固定方法によっては、工場ラインの変更を余儀なくされる場合がある。
【０００６】
そこで、本発明の目的は、上記の問題点を解消し、効率良く配管を設置することのできる床部材および配管設置方法を提供することにある。
【０００７】
【課題を解決するための手段】
上記課題を解決するために、請求項１に記載された発明では、建物ユニットの床を少なくとも部分的な分割構造として開口部が形成されるようにし、該開口部へ取付け可能な床部材本体を設けると共に、該床部材本体の裏面側に予め、コイル状に巻かれた配管が、建物ユニットの梁の背高を超えない高さに固定されたことを特徴としている。
【０００８】
このように構成された請求項１にかかる発明によれば、コイル状に巻かれた配管を床部材本体の裏面側へ固定することにより、配管が室内側へ露出しないため、内装作業などの後工程に影響を与えないようにすることができる。また、現地での棟上げ後に、いつでも床下で配管を外してヘッダーなどのガス供給部の位置まで伸ばすように施工することが可能となる。更に、現地工数を削減することができる。
【０００９】
また、建物ユニットの構築後に、床の開口部へ予め配管が固定された床部材を取付けるようにするので、工場ラインへの負担が少なく、工場ラインを変更する必要がない。更に、上記作業を工場で行うことができるので、品質の安定化を図ることができる。
【００１０】
更に、床部材の裏面側に対し、配管の高さを梁の背高に納めて固定するようにしているので、建物ユニットの搬送時に邪魔になることがなく、且つ、配管への影響も無い。
【００１１】
請求項２に記載された発明では、建物ユニットの床を少なくとも部分的な分割構造として開口部が形成されるようにし、該開口部へ、請求項１の床部材を取付けることを特徴としている。
【００１２】
このように構成された請求項２にかかる発明によれば、請求項１と同様の作用効果を得ることができる。
【００１３】
請求項３に記載された発明では、請求項２の建物ユニットを現地へ設置した後に、床部材の裏面側から配管を外して、配管の引回しを完成することを特徴としている。
【００１４】
このように構成された請求項３にかかる発明によれば、請求項１と同様の作用効果を得ることができる。
【００１５】
【発明の実施の形態１】
以下、本発明の具体的な実施の形態１について、図示例と共に説明する。
【００１６】
図１〜図８は、この発明の実施の形態１を示すものである。
【００１７】
工場で予め複数の建物ユニット１を作り、これらを現地で組み立てて建物を構築する場合に、図６に示すように、ガスの埋込コンセントを設置する居室部やキッチンを構成する建物ユニット１の床２を少くとも部分的に分割構造とし、床２に形成される開口部３へ取付け可能な床部材４を設ける。この床部材４は建物ユニット１の埋込コンセントやガステーブルなどの機器が設置される機器設置部分に端床材として設けるようにする。
【００１８】
上記の床部材４（床部材本体４ａ）は、図１に示すように、床下地板５と、複数本の根太６と、パーチクルボードなどの床板７と、必要に応じてこれらの間に介在される断熱材８とで構成される。
【００１９】
そして、配管９として、所要長さに切断された可撓性のフレキ管などを用意し、この配管９をコイル状に巻取った状態とする。この際、配管９の供給側の管端部には図２に示すような気密試験用キャップ１０を取付けておく。
【００２０】
そして、図３、図４に示すように、床部材４を裏返して、裏面側となる床下地板５の上に前記コイル状の配管９を乗せ、配管９の高さが梁の背高１１であるほぼ１００ｍｍの高さを超えないように両端の根太６，６の間で広げて、ＰＰバンド、ゴムバンド、テープなどの帯状材１２で押え、更に、タッカーなどを用いて止め金具１３で帯状材１２を床下地板５の各根太６の部分に固定する。これにより、振動や重量で配管９が落ちてしまうことが防止される。また、配管９が撓んで床部材４からはみだしてしまうことも防止される。  この際、図５に示すように、配管９の機器接続側１４の管端部をほぼ１ｍほど床部材４のユニット端部側１５へ取り出しておき、機器接続側１４の管端部を螺旋状に巻いて室内側となるパーチクルボードなどの床板７の上にテープ１６で固定する。なお、配管９を固定された床部材４は、積み重ねずに、立てかけて保管するようにする。
【００２１】
次に、図６、図７に示すように、配管９を固定された床部材４を建物ユニット１の床２の開口部３に取付ける。この際、配管９をつぶさないように注意し、床部材４を釘止めする際には配管９を打たないようにし、且つ、木工用ボンドなど、溶剤が配管９につかないようにする。
【００２２】
そして、パーチクルボードなどの床板７からテープ１６を剥がして配管９の機器接続側１４の管端部の固定を外し、配管９の機器接続側１４の管端部を壁内部へ入れておく。
【００２３】
建物ユニット１に内壁が取付けられたら、配管９の機器接続側１４の管端部を必要箇所から取出し、埋込コンセントやガステーブルなどの機器へ接続する。
【００２４】
建物ユニット１の棟上げ後に、床下１７で配管９を固定しているＰＰバンド、ゴムバンド、テープなどの帯状材１２をカッターやペンチなどの切断具で切断して、配管９の固定状態を解除し、図８に一点鎖線で示すように、配管９を床下１７へ下ろす。この際、配管９を傷付けないようにする。なお、図８中、符号１８は基礎である。
【００２５】
次に、配管９を、図８に二点鎖線、三点鎖線で示すように、床下１７で図示しないヘッダーなどのガス供給部の位置まで伸ばす。配管９を伸ばす際には、機器接続側１４に強い力を与えないようにする。また、配管９にねじれや曲げを与えないようにする。更に、配管９をつぶさないようにする。
【００２６】
基礎のスリーブ孔などに配管９を通す場合には、配管９がねじれないように一度巻物を全て伸ばしてからスリーブ孔のさや管へ通す。
【００２７】
配管９の引回しは、転がし配管９としても、埋設配管９としても、床２や根太６への固定配管９としても良い。
【００２８】
最後に、配管９の供給側の管端部をヘッダーなどのガス供給部へ接続する。
【００２９】
このように、コイル状に巻かれた配管９を床部材４の裏面側へ固定することにより、配管９が室内側へ露出しないため、内装作業などの後工程に影響を与えないようにすることができる。また、現地での棟上げ後に、いつでも床下１７で配管９を外してヘッダーなどのガス供給部の位置まで伸ばすように施工することが可能となる。更に、現地工数を削減することができる。
【００３０】
また、建物ユニット１構築後に、床２の開口部３へ予め配管９が固定された床部材４を取付けるようにするので、工場ラインへの負担が少なく、工場ラインを変更する必要がない。更に、上記作業を工場で行うことができるので、品質の安定化を図ることができる。  更に、床部材４の裏面側に対し、配管９の高さを梁の背高１１に納めて固定するようにしているので、建物ユニット１の搬送時に邪魔になることがなく、且つ、配管９への影響も無い。
【００３１】
【発明の効果】
以上説明してきたように、請求項１の発明によれば、コイル状に巻かれた配管を床部材本体の裏面側へ固定することにより、配管が室内側へ露出しないため、内装作業などの後工程に影響を与えないようにすることができる。また、現地での棟上げ後に、いつでも床下で配管を外してヘッダーなどのガス供給部の位置まで伸ばすように施工することが可能となる。更に、現地工数を削減することができる。
【００３２】
また、建物ユニットの構築後に、床の開口部へ予め配管が固定された床部材を取付けるようにするので、工場ラインへの負担が少なく、工場ラインを変更する必要がない。更に、上記作業を工場で行うことができるので、品質の安定化を図ることができる。
【００３３】
更に、床部材の裏面側に対し、配管の高さを梁の背高に納めて固定するようにしているので、建物ユニットの搬送時に邪魔になることがなく、且つ、配管への影響も無い。
【００３４】
請求項２の発明によれば、請求項１と同様の効果を得ることができる。
【００３５】
請求項３の発明によれば、請求項１と同様の効果を得ることができる、という実用上有益な効果を発揮し得る。
【図面の簡単な説明】
【図１】本発明の実施の形態１にかかる裏返された端床材の斜視図である。
【図２】気密試験用キャップの斜視図である。
【図３】配管を取付けた後の裏返された端床材の斜視図である。
【図４】配管を取付けた後の端床材の側面図である。
【図５】配管を取付けた後の端床材の斜視図である。
【図６】建物ユニットの部分斜視図である。
【図７】建物ユニットの底面図である。
【図８】配管を伸ばす状態を示す床下の側面図である。
【符号の説明】
１    建物ユニット
２    床
３    開口部
４    床部材
４ａ  床部材本体
９    配管
１１  梁の背高
【図１】
0003644832.tif 000002
【図２】
0003644832.tif 000003
【図３】
0003644832.tif 000004
【図４】
0003644832.tif 000005
【図５】
0003644832.tif 000006
【図６】
0003644832.tif 000007
【図７】
0003644832.tif 000008
【図８】
0003644832.tif 000009